(57)【要約】【課題】被測定物が要求する通信帯域におけるパケットエラー測定やスループット測定を可能にする測定装置及び測定方法を提供することを目的とする。【解決手段】被測定物（１００）の送受信特性を測定する測定装置（１）であって、前記被測定物から送信されるチャネルごとの使用要求信号を受信する受信部（１１）と、前記チャネルごとの信号品質を解析する信号解析部（１３）と、前記信号品質の解析結果に基づき前記使用要求信号で使用要求されたチャネルに対し使用許可を決定する処理部（５０）と、使用許可信号を送信する送信部（１０）と、前記チャネルの使用許可を、前記チャネルごとの信号品質に基づき許可するか否かを指定する制御モード情報が保存されているファンクション保存部（６０）と、を備え、前記処理部は、前記チャネルごとの信号品質と前記制御モード情報とに基づき前記チャネルごとに使用許可を決定することを特徴とする測定装置である。【選択図】図１
2018164214.tif 000002
【特許請求の範囲】
【請求項１】
複数のチャネルから構成される無線回線を使用して、被測定物（１００）と信号の送受信を行って、前記被測定物の送受信特性を測定する測定装置（１）であって、
前記信号の送受信を開始する際に、前記被測定物から送信される使用要求チャネルを用いたチャネルごとの使用要求信号を受信する受信部（１１）と、
受信した前記チャネルごとの使用要求信号に基づいて前記チャネルごとの信号品質を解析する信号解析部（１３）と、
前記信号品質を解析した結果に基づいて、前記使用要求信号で使用要求されたチャネルに対して使用許可するか否かを決定する処理部（５０）と、
前記処理部が使用許可することを決定した前記使用要求チャネルを用いてチャネルごとの使用許可信号を送信する送信部（１０）と、
前記チャネルごとの使用許可を、前記チャネルごとの信号品質に基づいて許可するか否かを指定する制御モード情報が保存されているファンクション保存部（６０）と、
を備え、
前記処理部は、前記信号品質を解析した結果の前記チャネルごとの信号品質と、前記ファンクション保存部に保存されている前記制御モード情報とに基づいて、前記チャネルごとに使用許可するか否かをそれぞれ決定し、
前記信号解析部は、前記処理部が前記チャネルの使用許可を決定したチャネルを使用して、前記被測定物の前記送受信特性の測定を行うことを特徴とする測定装置。
【請求項２】
前記チャネルごとの前記使用要求信号は、前記被測定物がサポートする帯域幅において連続して使用するチャネルにて送信されることを特徴とする請求項１に記載の測定装置。
【請求項３】
前記制御モード情報は、前記被測定物から送信される前記複数のチャネルごとの前記使用要求信号に対して、前記複数のチャネルの信号品質にかかわらず、前記使用要求された全てのチャネルに対して使用許可するモードを含むことを特徴とする請求項２に記載の測定装置。
【請求項４】
前記ファンクション保存部に保存されている前記制御モード情報は、書き換え可能であることを特徴とする請求項１乃至請求項３のうちいずれか１項に記載の測定装置。
【請求項５】
前記信号解析部は、前記チャネルごとの信号品質を測定する際に、前記被測定物から送られてくる前記信号の受信電界強度とＳ／Ｎとを少なくとも用いることを特徴とする請求項１乃至請求項４のうちいずれか１項に記載の測定装置。
【請求項６】
複数のチャネルから構成される無線回線を使用して、被測定物と信号の送受信を行って、前記被測定物の送受信特性の測定を行う測定方法であって、
前記信号の送受信を開始する際に、前記被測定物から送信される使用要求チャネルを用いたチャネルごとの使用要求信号を受信し、
受信した前記チャネルごとの使用要求信号に基づいて前記チャネルごとの信号品質を解析し、
前記チャネルごとの使用許可を、前記チャネルごとの信号品質に基づいて許可するか否かを指定する制御モード情報を制御モード情報記憶エリアに保存し、
前記信号品質の解析の結果の前記チャネルごとの信号品質と、前記制御モード情報記憶エリアに保存されている前記制御モード情報とに基づいて、前記チャネルごとに使用許可するか否かをそれぞれ決定し、前記使用許可が決定されたチャネルを使用して、前記被測定物の前記送受信特性の測定を行うことを特徴とする測定方法。
【請求項７】
前記チャネルごとの前記使用要求信号は、前記被測定物がサポートする帯域幅において連続して使用するチャネルにて送信されることを特徴とする請求項６に記載の測定方法。
【請求項８】
前記制御モード情報は、前記被測定物から送信される前記複数のチャネルごとの前記使用要求信号に対して、前記複数のチャネルの信号品質にかかわらず、前記使用要求された全てのチャネルに対して使用許可するモードを含むことを特徴とする請求項７に記載の測定方法。
【請求項９】
前記制御モード情報記憶エリアに保存されている前記制御モード情報は、書き換え可能であることを特徴とする請求項６乃至請求項８のうちいずれか１項に記載の測定方法。
【請求項１０】
前記チャネルごとの信号品質の解析は、前記チャネルごとの信号品質を測定する際に、前記被測定物から送られてくる前記信号の受信電界強度とＳ／Ｎとを少なくとも用いることを特徴とする請求項６乃至請求項９のうちいずれか１項に記載の測定方法。
【発明の詳細な説明】
【技術分野】
【０００１】
本発明は、ワイヤレスＬＡＮの通信機器の送受信特性を測定する測定装置及び測定方法に関する。
【背景技術】
【０００２】
無線回線を使用した通信方式の１つとしてワイヤレスＬＡＮ（Wireless LAN）がある。このワイヤレスＬＡＮの規格の１つにＩＥＥＥ８０２．１１がある。ＩＥＥＥ８０２．１１の規格に従うシステムの場合、ＡＰ（Access Point、アクセスポイントとも呼ぶ）と呼ばれる親機と、そのＡＰに接続するＳＴＡ(Station、ステーションとも呼ぶ)と呼ばれる子機とが通信をする形態をとるものがある。この通信の例として、ＳＴＡ間に障害物がある場合、ＳＴＡ間での通信が成り立たなくなり、あるＳＴＡは他のＳＴＡが同一のチャネル（帯域幅）を用いて同時に同一のＡＰにアクセスしようとしていることを認識できない。このような場合は、「隠れ端末問題」と呼ばれている。
【０００３】
隠れ端末問題の発生している環境下においては、複数のＳＴＡが、同一のＡＰに同一のチャネルを用いて同時にアクセスすると、各々のＳＴＡが送出した信号がチャネル衝突を起こす可能性がある。このような事態を回避する方法としてＩＥＥＥ８０２．１１の規格では、ＣＳＭＡ／ＣＡ(Carrier Sense Multiple Access with Collison Avoidance)が使用されている。ＣＳＭＡ／ＣＡは、いくつかの手順があり、例えば以下に示すようなＲＴＳ／ＣＴＳを用いた手順がある。
【０００４】
ＡＰは、２０ＭＨｚ帯域幅を最小帯域幅としてチャネルの使用状況を監視し、ＳＴＡに対して通信が可能であるチャネルを通知する。ＳＴＡは、この通知を受け取るとＡＰとの間で以下のようなチャネルの使用要求信号であるＲＴＳと、使用許可信号であるＣＴＳのやり取りを行い、通信を行うためのチャネルを決定する。
（１） ＳＴＡからＡＰ：使用したいチャネルの要求を、使用したいチャネルにおいて制御パケットＲＴＳ(Request to Send)を送信することで通知する。
（２） ＡＰからＳＴＡ：使用可能かどうかの応答を、使用可能なチャネルにおいて制御パケットＣＴＳ(Clear to Send)を送信することで通知する。
【０００５】
またＩＥＥＥ８０２．１１の規格は、機能追加や高度化を行う形で多くの技術が規格として逐次追加されている。例えばＩＥＥＥ８０２．１１ｎからは、ワイヤレスＬＡＮの通信速度を高速化する技術である複数の通信帯域幅をサポートする機能が追加されている。
【０００６】
複数の帯域幅をサポートすることで一度に送受信するデータ量を増やすことを可能とし、通信速度の高速化を実現する機能である。サポートする帯域幅は、ＩＥＥＥ８０２．１１ｎでは２０ＭＨｚ、４０ＭＨｚであるが、ＩＥＥＥ８０２．１１ａｃでは２０ＭＨｚ、４０ＭＨｚ、８０ＭＨｚ、１６０ＭＨｚと、チャネルの使用状況に応じて可変にすることができる。
【０００７】
ＩＥＥＥ８０２．１１ａｃ規格に従うＳＴＡで、４つの連続したチャネルを使用して８０ＭＨｚ帯域幅を使用したい場合、通信可能なチャネルの通知を送出してきたＡＰに対して使用したいチャネル８０ＭＨｚ全域に対してチャネルが連続した２０ＭＨｚ帯域幅の制御パケットＲＴＳを送信する。
【０００８】
ＡＰとＳＴＡが１対１の関係にある場合、ＡＰはＳＴＡに対して、８０ＭＨｚ帯域幅でのデータ通信を許可する制御パケットＣＴＳを送信する。しかし１つのＡＰに対して複数のＳＴＡがアクセスする場合、即ちＡＰとＳＴＡが１対多数の関係にある場合には、隠れ端末問題を例としてチャネル衝突が発生する可能性がある。例えば被測定物をＳＴＡ１とした場合、ＳＴＡ１がＡＰに対してチャネル番号５２、５６、６０、６４の８０ＭＨｚ帯域幅の使用を要求したとしても、同時にＳＴＡ２が、ＳＴＡ１が要求している８０ＭＨｚ帯域幅にオーバーラップする帯域のチャネル（チャネル番号６０、６４の４０ＭＨｚ帯域幅）の使用を要求する、というチャネル衝突が発生することがある。
【０００９】
このようにＳＴＡ１とＳＴＡ２からのチャネル使用要求が衝突した場合、ＡＰは上記に説明したＣＳＭＡ／ＣＡにより、オーバーラップしているチャネル番号６０、６４の４０ＭＨｚ帯域幅の使用を制限し、チャネル番号５２、５６の４０ＭＨｚ帯域幅だけに対して制御パケットＣＴＳを送信することで、ＡＰはＳＴＡ１にチャネル番号５２、５６の４０ＭＨｚ帯域の使用を許可する。制御パケットＣＴＳを受信したＳＴＡ１は、チャネル番号５２、５６の４０ＭＨｚ帯域幅の使用が許可されたと認識し、チャネル番号５２、５６の４０ＭＨｚ帯域幅を用いてデータパケットをＡＰに送信する。
【００１０】
特許文献１ではＣＳＭＡ／ＣＡによって使用が許可されたチャネルにおいて、データパケット送信時のチャネルの信号品質を判断し、チャネルの信号品質が悪いと判断した場合は、当該チャネルに帯域制限及びレート制限を課すことで、通信を切断しないようにするものである。
【先行技術文献】
【特許文献】
【００１１】
【特許文献１】特開２０１５−１２４７１号公報
【発明の概要】
【発明が解決しようとする課題】
【００１２】
ワイヤレスＬＡＮシステムを快適に使用するためには、ＳＴＡの動作検証が非常に重要である。このため、実環境を模擬した測定環境において被測定物であるＳＴＡを持ち込んで実際のＳＴＡの動作を確認することが一般的に行われる。
【００１３】
このような試験において、ＳＴＡが要求したチャネルにおける例えばパケットエラー率やスループット等を測定したいという要求がある。しかしながら特許文献１記載のように、ＡＰがチャネルの信号品質、例えばチャネルの使用状況を判断して、ＳＴＡが要求したチャネルに対して使用の許可を制限する制御をしてしまうと、測定装置は被測定物であるＳＴＡに対して、要求されたチャネルにおける例えばパケットエラー率やスループットの測定やＥＶＭ(Error Vector Magnitude)という被測定物の送受信特性の試験を行うことができない、という問題が発生する。
【００１４】
通常は、被測定物であるＳＴＡを、単体でシールドボックスやシールドルームといった他の外来波を遮断する環境において測定することが一般的であるが、必ずしも外来波がない環境下では無く、例えば被測定物ではない他のＳＴＡからの電波が存在する、例えば妨害波を含めた環境での測定では、被測定物であるＳＴＡが要求したチャネルに対して、ＡＰが使用の許可を制限してしまい、所望のチャネルでの試験を行うことができない、という問題があった。
【００１５】
本発明は、このような従来の課題を解決するためになされたものであり、被測定物が要求するチャネルにおけるパケットエラー測定やスループット測定を可能にする測定装置及び測定方法を提供することを目的とする。
【課題を解決するための手段】
【００１６】
本発明の請求項１に係る測定装置（１）は、複数のチャネルから構成される無線回線を使用して、被測定物（１００）と信号の送受信を行って、前記被測定物の送受信特性を測定する測定装置（１）であって、前記信号の送受信を開始する際に、前記被測定物から送信される使用要求チャネルを用いたチャネルごとの使用要求信号を受信する受信部（１１）と、受信した前記チャネルごとの使用要求信号に基づいて前記チャネルごとの信号品質を解析する信号解析部（１３）と、前記信号品質を解析した結果に基づいて、前記使用要求信号で使用要求されたチャネルに対して使用許可するか否かを決定する処理部（５０）と、前記処理部が使用許可することを決定した前記使用要求チャネルを用いてチャネルごとの使用許可信号を送信する送信部（１０）と、前記チャネルごとの使用許可を、前記チャネルごとの信号品質に基づいて許可するか否かを指定する制御モード情報が保存されているファンクション保存部（６０）と、を備え、前記処理部は、前記信号品質を解析した結果の前記チャネルごとの信号品質と、前記ファンクション保存部に保存されている前記制御モード情報とに基づいて、前記チャネルごとに使用許可するか否かをそれぞれ決定し、前記信号解析部は、前記処理部が前記チャネルの使用許可を決定したチャネルを使用して、前記被測定物の前記送受信特性の測定を行うことを特徴とする測定装置である。
【００１７】
この構成により、本発明の請求項１に係る測定装置は、被測定物が使用を要求してきたチャネルに対して使用許可を判断する際に、受信した信号の解析結果と測定装置に設定されている制御モード情報によって、使用許可を制御することが可能となり、測定装置の操作者の意図に応じて、被測定物が使用要求をしてきたチャネルに対して使用許可をすることが可能となる。これにより外来波及び妨害波、例えば被測定物ではない他のＳＴＡから到来する電波が存在する環境にあっても、被測定物と信号の送受信を行うチャネルに関する被測定物の送受信特性の試験を任意に行うことが可能となる。
【００１８】
本発明の請求項２に係る測定装置は、前記チャネルごとの前記使用要求信号は、前記被測定物がサポートする帯域幅において連続して使用するチャネルにて送信されることを特徴とする請求項１に記載の測定装置である。
【００１９】
この構成により、本発明の請求項２に係る測定装置は、例えばチャネルの信号品質に応じて使用する帯域幅（連続するチャネル数）が変わる制御方法においても、被測定物が使用を要求してきたチャネルに対して使用許可する際に、測定装置がもつ制御モード情報によって、使用許可を制御することが可能となる。これにより、使用する帯域幅（連続するチャネル数）が動的に変化する場合においても、任意の試験を行うことが可能となる。
【００２０】
本発明の請求項３に係る測定装置は、前記制御モード情報は、前記被測定物から送信される前記複数のチャネルごとの前記使用要求信号に対して、前記複数のチャネルの信号品質にかかわらず、前記使用要求された全てのチャネルに対して使用許可するモードを含むことを特徴とする請求項２に記載の測定装置である。
【００２１】
この構成により、本発明の請求項３に係る測定装置は、例えばチャネルの信号品質に応じて使用する帯域幅（連続するチャネル数）が変わる制御方法において、要求されたすべてのチャネルに対して、使用許可を送信することが可能となり、使用するチャネルの数に制限なく任意の試験を行うことが可能となる。
【００２２】
本発明の請求項４に係る測定装置は、前記ファンクション保存部に保存されている前記制御モード情報は、書き換え可能であることを特徴とする請求項１乃至請求項３のうちいずれか１項に記載の測定装置である。
【００２３】
この構成により、本発明の請求項４に係る測定装置は、操作者が制御モード情報の切り替えを簡易にできるようにすることができる。これにより、本実施形態の測定装置の機能を用いて試験をする場合に、操作者の意図する任意の試験を行うことが可能となる。
【００２４】
本発明の請求項５に係る測定装置は、前記信号解析部が、前記チャネルごとの信号品質を測定する際に、前記被測定物から送られてくる前記信号の受信電界強度とＳ／Ｎとを少なくとも用いることを特徴とする請求項１乃至請求項４のうちいずれか１項に記載の測定装置である。
【００２５】
この構成により、本発明の請求項５に係る測定装置は、信号品質を適切に測定することが可能となる。これにより、本実施形態の測定装置の機能を用いて試験をする場合に、操作者の意図する任意の試験を行うことが可能となる。
【００２６】
本発明の請求項６に係る測定方法は、複数のチャネルから構成される無線回線を使用して、被測定物と信号の送受信を行って、前記被測定物の送受信特性の測定を行う測定方法であって、前記信号の送受信を開始する際に、前記被測定物から送信される使用要求チャネルを用いたチャネルごとの使用要求信号を受信し、受信した前記チャネルごとの使用要求信号に基づいて前記チャネルごとの信号品質を解析し、前記チャネルごとの使用許可を、前記チャネルごとの信号品質に基づいて許可するか否かを指定する制御モード情報を制御モード情報記憶エリアに保存し、前記信号品質の解析の結果の前記チャネルごとの信号品質と、前記制御モード情報記憶エリアに保存されている前記制御モード情報とに基づいて、前記チャネルごとに使用許可するか否かをそれぞれ決定し、前記使用許可が決定されたチャネルを使用して、前記被測定物の前記送受信特性の測定を行うことを特徴とする測定方法である。
【００２７】
この構成により、本発明の請求項６に係る測定方法は、被測定物が使用を要求してきたチャネルに対して使用許可する際、測定装置がもつ制御モード情報によって、チャネル使用許可を制御することが可能となり、測定装置の操作者の意図に応じて、被測定物が使用要求してきたチャネルに対して使用許可することが可能となる。これにより外来波及び妨害波、例えば被測定物ではない他のＳＴＡから到来する電波が存在する環境にあっても、被測定物と信号の送受信を行うチャネルに関する被測定物の送受信特性の試験を任意に行うことが可能となる。
【００２８】
本発明の請求項７に係る測定方法は、前記チャネルごとの前記使用要求信号は、前記被測定物がサポートする帯域幅において連続して使用するチャネルにて送信されることを特徴とする請求項６に記載の測定方法である。
【００２９】
この構成により、本発明の請求項７に係る測定方法は、例えばチャネルの信号品質に応じて使用する帯域幅（連続するチャネル数）が変わる制御方法においても、被測定物が使用を要求してきたチャネルに対して使用許可する際に、測定装置がもつ制御モード情報によって、使用許可を制御することが可能となる。これにより、使用する帯域幅（連続するチャネル数）が動的に変化する場合においても、任意の試験を行うことが可能となる。
【００３０】
本発明の請求項８に係る測定方法は、前記制御モード情報は、前記被測定物から送信される前記複数のチャネルごとの前記使用要求信号に対して、前記複数のチャネルの信号品質にかかわらず、前記使用要求された全てのチャネルに対して使用許可するモードを含むことを特徴とする請求項７に記載の測定方法である。
【００３１】
この構成により、本発明の請求項８に係る測定方法は、例えばチャネルの信号品質に応じて使用する帯域幅（連続するチャネル数）が変わる制御方法において、要求されたすべてのチャネルに対して、使用許可を送信することが可能となり、使用するチャネルの数に制限なく任意の試験を行うことが可能となる。
【００３２】
本発明の請求項９に係る測定方法は、前記制御モード情報記憶エリアに保存されている前記制御モード情報は、書き換え可能であることを特徴とする請求項６乃至請求項８のうちいずれか１項に記載の測定方法である。
【００３３】
この構成により、本発明の請求項９に係る測定装置は、操作者が制御モード情報の切り替えを簡易にできるようにすることができる。これにより、本実施形態の測定装置の機能を用いて試験をする場合に、操作者の意図する任意の試験を行うことが可能となる。
【００３４】
本発明の請求項１０に係る測定方法は、前記チャネルごとの信号品質の解析は、前記チャネルごとの信号品質を測定する際に、前記被測定物から送られてくる前記信号の受信電界強度とＳ／Ｎとを少なくとも用いることを特徴とする請求項６乃至請求項９のうちいずれか１項に記載の測定方法である。
【００３５】
この構成により、本発明の請求項１０に係る測定方法は、信号品質を適切に測定することが可能となる。これにより、本実施形態の測定装置の機能を用いて試験をする場合に、操作者の意図する任意の試験を行うことが可能となる。
【発明の効果】
【００３６】
本発明は、被測定物１００が使用を要求したチャネルに対して、そのチャネルの信号品質に関わらず使用を許可することができる測定装置及び測定方法を提供する。
【図面の簡単な説明】
【００３７】
【図１】図１は、本発明に係る測定装置の一実施形態における構成を示すブロック図である。
【図２】図２は、図１に示す信号解析部の詳細な構成を示した図である。
【図３】図３は、ファンクション保存部に記憶されているモードエリアのビットアサインの例を示した図である。
【図４】図４は、本発明に係る測定装置の一実施形態における、チャネル制御処理においてチャネルの信号品質の確認の結果、被測定物が使用を要求するチャネルにおいてチャネル衝突が発生していないと判断した場合の、信号（制御パケット）の送受信を示した図である。
【図５】図５は、本発明に係る測定装置の一実施形態における、チャネル制御処理においてチャネルの信号品質の確認の結果、被測定物が使用を要求するチャネルにおいてチャネル衝突が発生していると判断した場合の、信号（制御パケット）の送受信を示した図である。
【図６】図６は、本発明に係る測定装置の一実施形態において、チャネル制御処理におけるチャネルの信号品質の確認の結果、被測定物が使用を要求するチャネルにおいてチャネル衝突が発生していると判断した場合の、信号（制御パケット）の送受信を示した図である。
【図７Ａ】図７Ａは、本発明に係る測定装置の一実施形態における、チャネル制御処理の全体の処理フローである。
【図７Ｂ】図７Ｂは、本発明に係る測定装置の一実施形態における、チャネル制御処理におけるＲＴＳの解析処理フローである。
【図７Ｃ】図７Ｃは、本発明に係る測定装置の一実施形態における、チャネル制御処理におけるＲＴＳの解析処理フローである。
【図７Ｄ】図７Ｄは、本発明に係る測定装置の一実施形態における、チャネル制御処理におけるＲＴＳの解析処理フローである。
【図７Ｅ】図７Ｅは、本発明に係る測定装置の一実施形態における、チャネル制御処理におけるＲＴＳの解析処理フローである。
【図８】図８は、本発明に係る測定装置の一実施形態における、チャネル制御処理のモードを確認するモード確認処理フローである。
【図９】図９は、許可通知管理テーブルおよびその設定値の例を示した図である。
【図１０】図１０は、本発明に係る測定装置の一実施形態における、許可通知管理テーブルのＣＴＳ作成ステータスの値に従って、被測定物１００が送信する使用要求信号である制御パケットＲＴＳに対して、使用許可信号であるＣＴＳを作成する処理フローである。
【図１１】図１１は、ファンクション保存部のビットアサインの他の例を示した図である。
【図１２】図１２は、本発明に係る測定装置の一実施形態における、チャネル制御処理のモードを確認する他のモード確認処理フローである。
【発明を実施するための形態】
【００３８】
以下、本発明の実施形態について図面を用いて説明する。図１は、本発明に係る測定装置１の一実施形態における構成を示すブロック図である。測定装置１は、被測定物１００に対して各種測定を行う。測定装置１は、送信部１０、受信部１１、信号生成部１２、信号解析部１３、制御部１４、出力部１５、及び入力部１６を備えている。測定装置１は、ＩＥＥＥ８０２．１１の規格に従うＡＰとしての機能を備えている。
【００３９】
被測定物１００は、例えばＳＴＡ動作としたときのワイヤレスＬＡＮルーターなどの伝送装置、あるいは例えばスマートフォン、ノートパソコンなどの携帯端末などに内蔵されるＳＴＡ動作するワイヤレスＬＡＮである。被測定物１００は、ＩＥＥＥ８０２．１１の規格に従うＳＴＡとしての機能を備えている。
【００４０】
また測定装置１および被測定物１００は、例えばＩＥＥＥ８０２．１１ｎから規格化された複数の通信帯域幅の対応によるＣＳＭＡ／ＣＡのように、信号の送受信を開始するにあたって、チャネルの信号品質によって測定装置１と被測定物１００との間で信号の送受信を行うために使用するチャネルの数を変えるチャネル制御処理の機能を備えている。
【００４１】
送信部１０は、信号生成部１２から信号が送られてくると、送られてきた信号を無線信号により被測定物１００に対して送信する。
【００４２】
受信部１１は、被測定物１００から送られてくる無線信号を受信すると、その信号を信号解析部１３に送出する。
【００４３】
信号生成部１２は、被測定物１００と通信するための制御パケットやデータパケットを含む信号を生成し、送信部１０を介して被測定物１００に送信する。
【００４４】
信号解析部１３は、受信部１１を介して被測定物１００から送られてきた信号を受信し、Ｐｏｗｅｒｄ Ｄｅｔｅｃｔを行うパワー検出部３０やＳｉｇｎａｌ Ｄｅｔｅｃｔを行う信号検出部４０により、受信した信号品質を解析し、ＣＳＭＡ／ＣＡの処理を行う。また信号解析部１３は、復調部７０、測定部８０により、被測定物１００の送受信特性を測定する。
【００４５】
入力部１６は、測定条件や測定内容などを設定するためのファンクションキーやテンキーなど特定機能が割り当てられた複数のハードキーやロータリノブ等を含む。なお入力部１６の代わりに、ファンクションキーやテンキーなどを備えたキーボード等の入力装置を、測定装置１の外部から接続できるような形態をとってもよい。入力部１６に配置されているファンクションキーの１つに、後で説明するファンクションキー（ＯＦＦモード）がある。操作者はファンクションキー（ＯＦＦモード）を操作することで、デフォルトモードとＯＦＦモードを切替えることができる。
【００４６】
出力部１５は、入力部１６で設定された内容や測定部８０で測定された測定結果を表示、出力する。なお図１に示す測定装置１の例では、出力部１５が測定装置１の内部に配置されているが、出力部１５の代わりに表示画面などを備えた表示装置を、測定装置１の外部から接続できるような形態をとってもよい。
【００４７】
制御部１４は、例えばＣＰＵ（主処理回路）、ＲＯＭ（読み出し専用メモリ）、ＲＡＭ（ランダムアクセスメモリ）などを含み、測定装置１を構成する各部の全体的な制御を行う。また制御部１４は、操作者が入力部１６を操作して設定した内容をもとに、信号生成部１２や信号解析部１３に対して、特定の処理を実行させるコマンドを送出する。
【００４８】
図２は、信号解析部１３の詳細な構成を示した図である。信号解析部１３は、パワー検出部３０、信号検出部４０、処理部５０、ファンクション保存部６０、復調部７０および測定部８０を備える。
【００４９】
パワー検出部３０および信号検出部４０は、処理部５０と一体となってＣＳＭＡ／ＣＡの処理を行う。パワー検出部３０および信号検出部４０は、測定装置１と被測定物１００とが信号の送受信を開始する際に、被測定物１００から送られてくる使用要求信号である制御パケットＲＴＳ信号の信号品質の解析を、信号の受信電界強度や受信電界強度に対応するレベル、Ｓ／Ｎ等を用いて行う。ここで信号品質の測定は、信号の受信電界強度とＳ／Ｎとを少なくとも用いる。信号品質の解析結果は処理部５０に送られ、解析結果を受信した処理部５０は、解析結果に基づき使用許可信号である制御パケットＣＴＳ信号を作成して、被測定物１００に送信部１０を介して送信する。
【００５０】
復調部７０は、パワー検出部３０および信号検出部４０のＣＳＭＡ／ＣＡの処理により、被測定物１００と信号の送受信を行うチャネルが決定された後に、被測定物１００から送られてきくるデータパケットの復調を行い、パケットエラー測定、スループット測定、ＥＶＭ(Error Vector Magnitude)測定などの被測定物１００の送受信特性の測定処理を行う。被測定物１００の送信特性は、例えば送信パワー、ＥＶＭ、コンスタレーション等がある。また被測定物１００の受信特性は、例えばパケットエラー率、フレームエラー率がある。
【００５１】
測定部８０は、入力部１６で設定された測定条件や測定内容をもとに、復調部７０に指示を出し、被測定物１００の送受信特性の測定処理を行う。測定部８０はまた、測定した被測定物１００の送受信特性の管理保存を行う。ファンクション保存部６０は、操作者が入力部１６のファンクションキー、テンキーなどを用いて設定した特定機能を保存する。
【００５２】
処理部５０は、パワー検出部３０および信号検出部４０と連携してＣＳＭＡ／ＣＡのように、チャネルの信号品質によって、被測定物１００との間で信号の送受信を行うために使用する帯域幅を変えるチャネル制御処理を行う。処理部５０は、操作者が入力部１６のファンクションキー等を用いて設定した特定機能の内容が保存されているファンクション保存部６０に保存されている情報と、パワー検出部３０および信号検出部４０から送られてきた検出結果とをもとに、被測定物１００に対する応答内容を決定する。
【００５３】
このチャネル制御処理は、測定装置１と被測定物１００とが信号の送受信を開始する際に、被測定物１００が、チャネル番号Ａのチャネルの使用要求信号である制御パケットＲＴＳ信号をチャネル番号Ａのチャネルを使用して送信し、それに対して測定装置１が、チャネル番号Ａのチャネルの使用を許可する場合には、チャネル番号Ａのチャネルを用いて使用許可信号である制御パケットＣＴＳを被測定物１００に送信し、チャネル番号Ａのチャネルの使用を許可しない場合には、制御パケットＣＴＳを被測定物１００に送信しない、という処理である。測定装置１は、被測定物１００からの使用の要求に対して使用を許可するしないの判断を、チャネルの信号品質によって行う。
【００５４】
さらにチャネル制御処理には、デフォルトモードとＯＦＦモードの２つのモードが備わっている。デフォルトモードは、被測定物１００から使用を要求されたチャネル番号Ａのチャネルに対して、チャネルＡの信号品質に応じてチャネル番号Ａのチャネルの使用を許可するしないの従前の規格に従った判断を行うモードである。一方ＯＦＦモードは、測定装置として被測定物１００を測定するためのモードであり、被測定物１００から使用を要求されたチャネル番号Ａのチャネルに対して、チャネル番号Ａのチャネルの信号品質にかかわらず使用を許可するモードである。チャネル制御処理のモードの情報は、ファンクション保存部６０に記憶されているモードエリア３０１に保存されている。
【００５５】
入力部１６にはファンクションキー（ＯＦＦモード）が配置されており、操作者はファンクションキー（ＯＦＦモード）を操作することで、デフォルトモードとＯＦＦモードを切替えることができる。
【００５６】
図３は、ファンクション保存部６０に記憶されているモードエリア３０１のビットアサインの例を示した図である。チャネル制御ビット（ｂ７）がチャネル制御処理のモードを示すビットである。チャネル制御ビットの値が１は、チャネル制御処理のモードがＯＦＦモードであることを示し、チャネル制御ビットの値が０は、チャネル制御処理のモードがデフォルトモードであることを示している。
【００５７】
チャネル制御処理のモードをデフォルトモードからＯＦＦモードに変える場合は、操作者がファンクションキー（ＯＦＦモード）を押下する。操作者がファンクションキー（ＯＦＦモード）を押下すると、入力部１６は、制御部１４を介してＯＦＦモードに変更するコマンドを信号解析部１３の処理部５０に送る。ＯＦＦモードに変更するコマンドを受信した処理部５０は、モードエリア３０１のチャネル制御ビット(ｂ７)を１（ＯＦＦモード）に設定する。これにより測定装置１は、チャネル制御処理において、被測定物１００から使用を要求されたチャネル番号Ａのチャネルに対して、チャネル番号Ａのチャネルの信号品質にかかわらず使用を許可することができる。
【００５８】
チャネル制御処理のモードをＯＦＦモードからデフォルトモードに戻す場合は、押下されている状態のファンクションキー（ＯＦＦモード）を操作者が再度押下することで解除する。ファンクションキー（ＯＦＦモード）を操作者が解除すると、入力部１６は、デフォルトモードに変更するコマンドを、制御部１４を介して処理部５０に送る。デフォルトモードに変更するコマンドを受信した処理部５０は、モードエリア３０１のチャネル制御ビット（ｂ７）を０（デフォルトモード）に設定する。
【００５９】
以下図４から図６を用いて、本発明にかかる測定装置の一実施形態における、チャネル制御処理のＯＦＦモードの処理について説明する。
【００６０】
図４は、本発明に係る測定装置の一実施形態における、チャネル制御処理においてチャネルの信号品質の確認の結果、被測定物が使用を要求するチャネルにおいてチャネル衝突が発生していないと判断した場合の、信号（制御パケット）の送受信を示した図である。
【００６１】
図４（Ａ）は測定装置１が信号（制御パケット）を送信するタイミングを、図４（Ｂ）は被測定物ＳＴＡ−Ａが信号（制御パケット）を送信するタイミングを示している。横軸は時間、縦軸は測定装置１及び被測定物ＳＴＡ−Ａが使用するチャネルを表している。チャネルには、番号が振られており、図４（Ａ）および図４（Ｂ）に示すようにチャネル番号５２、５６、６０、６４の４つのチャネルが存在する。測定装置１と被測定物ＳＴＡ−Ａとがチャネルを使用するタイミングをわかりやすくするために図４（Ａ）と図４（Ｂ）の２つに分けているが、同一番号のチャネルは同一チャネルである。
【００６２】
各チャネルにおいて、□で囲まれた部分が、測定装置の入出力端における測定装置１あるいは被測定物ＳＴＡ−Ａが送出する信号（制御パケット）およびその送信タイミングを表している。例えば被測定物ＳＴＡ−Ａのチャネル番号５２、５６、６０、６４に表されている「ＲＴＳ８０ＭＨｚ」は、被測定物ＳＴＡ−Ａが、チャネル番号５２、５６、６０、６４の２０ＭＨｚ×４＝８０ＭＨｚ帯域幅の使用を要求するために、測定装置１に対して時刻t1のタイミングで、チャネル番号５２、５６、６０、６４の８０ＭＨｚの帯域の使用要求信号である制御パケットＲＴＳを、チャネル番号５２、５６、６０、６４のチャネルを用いて送信していることを示している。また、被測定物ＳＴＡ−Ａのチャネル番号５２、５６、６０、６４に表されている「ＤＡＴＡ８０ＭＨｚ帯域」は、被測定物ＳＴＡ−Ａが、測定装置１からチャネル番号５２、５６、６０、６４の８０ＭＨｚの帯域の使用を許可され後に、測定装置１に対してチャネル番号５２、５６、６０、６４を使用した帯域幅８０ＭＨｚで、時刻t3のタイミングでデータパケットを送出していることを示している。
【００６３】
被測定物ＳＴＡ−Ａは、測定装置１との間で信号の送受信を開始するにあたって、チャネル番号５２、５６、６０、６４の８０ＭＨｚ帯域幅の使用要求信号として、測定装置１に対して使用を要求するチャネルごとに制御パケットＲＴＳを送信する。チャネルごとに制御パケットＲＴＳを受信した測定装置１は、使用を要求されたチャネルにおいてチャネル衝突が発生しているかを確認する。測定装置１は、チャネル衝突が発生していないと判断すると、被測定物ＳＴＡ−Ａから要求されたチャネルの使用許可信号として被測定物ＳＴＡ−Ａに対して、許可するチャネルごとに制御パケットＣＴＳを送信する。図４（Ａ）は、測定装置１が時刻t2のタイミングで被測定物ＳＴＡ−Ａに対して制御パケットＣＴＳを送信している例である。制御パケットＣＴＳを受信した被測定物ＳＴＡ−Ａは、制御パケットＣＴＳを受信したチャネルは使用が許可されたと認識し、以降データパケットや制御パケットを許可されたチャネルを用いて測定装置１に送信する。
【００６４】
図５は、本発明に係る測定装置の一実施形態における、チャネル制御処理においてチャネルの信号品質の確認の結果、被測定物が使用を要求するチャネルにおいてチャネル衝突が発生していると判断した場合の、信号（制御パケット）の送受信を示した図である。
【００６５】
図５（Ａ）、図５（Ｂ）および図５（Ｃ）の縦軸、横軸、およびチャネルについては図４（Ａ）および図４（Ｂ）の場合と同じである。図４との違いは、被測定物ＳＴＡ−Ａに加えて、ＳＴＡ−Ｂが追加されている点である。被測定物ＳＴＡ−Ａは、測定装置１との間で信号の送受信を開始するにあたって、チャネル番号５２、５６、６０、６４の８０ＭＨｚ帯域幅の使用要求信号として、測定装置１に対して使用を要求するチャネルごとに制御パケットＲＴＳを送信する。またＳＴＡ−Ｂが同時に、チャネル番号６０、６４の４０ＭＨｚ帯域幅の使用要求信号として、測定装置１に対して使用を要求するチャネルごとに制御パケットＲＴＳを送信したとする。チャネルごとに制御パケットＲＴＳを受信した測定装置１は、要求されたチャネルにおいてチャネル衝突が発生しているかを確認する。チャネル番号６０、６４のチャネルは、被測定物ＳＴＡ−ＡおよびＳＴＡ−Ｂからの制御パケットＲＴＳが送られてきているため、測定装置１は、使用を要求されたチャネルのうちチャネル番号６０、６４のチャネルにおいてチャネル衝突が発生していると判断する。
【００６６】
チャネル衝突が発生していると判断した測定装置１は、使用を要求されたチャネルに対し使用を許可する際に、チャネル制御処理のモードがデフォルトモードであるかＯＦＦモードであるかをモードエリア３０１のチャネル制御ビット（ｂ７）の値を参照することで確認する。図５（Ａ）の場合、チャネル制御ビット（ｂ７）の値が０（デフォルトモード）であるとする。この場合測定装置１は、被測定物ＳＴＡ−Ａに対して、チャネル衝突が発生していると判断したチャネル番号６０、６４を除いたチャネル番号５２、５６のチャネルにおいて、制御パケットＣＴＳを送信する。図５（Ａ）は、測定装置１が時刻t5のタイミングで被測定物ＳＴＡ−Ａに対して、チャネル番号５２、５６のチャネルを用いて制御パケットＣＴＳを送信している例である。
【００６７】
チャネル番号５２、５６のチャネルにより測定装置１から送られてきた制御パケットＣＴＳを受信した被測定物ＳＴＡ−Ａは、チャネル番号５２、５６のチャネルの使用が許可されたと認識し、以降データパケットや制御パケットを許可されたチャネルを用いて測定装置１に送信する。図５（Ｂ）は、被測定物ＳＴＡ−Ａが時刻t6のタイミングで測定装置１に対して、チャネル番号５２、５６のチャネルを用いてデータパケットを送信している例である。
【００６８】
図６は、本発明に係る測定装置の一実施形態において、チャネル制御処理におけるチャネルの信号品質の確認の結果、被測定物が使用を要求するチャネルにおいてチャネル衝突が発生していると判断した場合の、信号（制御パケット）の送受信を示した図である。図５との違いは、被測定物ＳＴＡ−Ａが使用を要求するチャネル番号６０、６４のチャネルにおいてチャネル衝突が発生していると測定装置１が判断したが、チャネル制御ビット（ｂ７）を参照した結果、測定装置１は被測定物ＳＴＡ−Ａが要求するすべてのチャネルに対して、使用の許可を通知している点である。図６（Ａ）の場合、チャネル制御ビット（ｂ７）の値が１（ＯＦＦモード）である。
【００６９】
チャネル衝突が発生していると判断した測定装置１は、チャネル制御処理のモードがデフォルトモードであるかＯＦＦモードであるかをモードエリア３０１のチャネル制御ビット（ｂ７）の値を参照することで確認する。図６（Ａ）の場合、チャネル制御ビット（ｂ７）の値が１（ＯＦＦモード）であるので、測定装置１は、被測定物ＳＴＡ−Ａに対して、チャネル５２とチャネル５６に加えチャネル衝突が発生していると判断したチャネル番号６０、６４のチャネルにおいても、使用許可信号として制御パケットＣＴＳを送信する。
【００７０】
図７Ａから図７Ｅは、本発明に係る測定装置の一実施形態における、チャネル制御処理の処理フローである。
【００７１】
図７Ａは、本発明に係る測定装置の一実施形態における、チャネル制御処理の全体の処理フローである。チャネル制御の全体処理は、信号受信（要求通知受信）（Ｓ７１）、ＲＴＳ解析処理（Ｓ７００）、信号送信（許可通知送信）（Ｓ７２）からなる。図７Ａにおいて測定装置１は、被測定物１００との間で信号の送受信を開始するにあたって、被測定物１００からの信号を受信部１１で受信する（Ｓ７１）と、その受信した信号を信号解析部１３に送信する。信号を受信した信号解析部１３は、パワー検出部３０と信号検出部４０にて、受信した信号のＲＴＳ解析処理（Ｓ７００）を開始する。信号解析部１３は、受信した信号に対して、被測定物１００との間で予め決められているＰｒｉｍａｒｙ２０ＭＨｚ、Ｓｅｃｏｎｄａｒｙ２０ＭＨｚ、Ｓｅｃｏｎｄａｒｙ４０ＭＨｚの帯域幅ごとに、ＲＴＳの解析処理を行う。
【００７２】
図７Ｂは、本発明に係る測定装置の一実施形態における、チャネル制御処理におけるＲＴＳ解析処理の全体の処理フローのである。信号解析部１３は、測定装置１と被測定物１００の間で予め決められているＰｒｉｍａｒｙ２０ＭＨｚ、Ｓｅｃｏｎｄａｒｙ２０ＭＨｚ、Ｓｅｃｏｎｄａｒｙ４０ＭＨｚの帯域幅ごとに、ＲＴＳの解析処理を並行して行う（Ｓ７００Ａ、Ｓ７００Ｂ、Ｓ７００Ｃ）。Ｐｒｉｍａｒｙ２０ＭＨｚ解析処理（Ｓ７００Ａ）の処理フローを図７Ｃ、Ｓｅｃｏｎｄａｒｙ２０ＭＨｚ解析処理（Ｓ７００Ｂ）の処理フローを図７Ｄに、Ｓｅｃｏｎｄａｒｙ４０ＭＨｚ解析処理（Ｓ７００Ｃ）の処理フローを図７Ｅに示す。ここで、Ｐｒｉｍａｒｙ２０ＭＨｚをチャネル番号５６のチャネル、Ｓｅｃｏｎｄａｒｙ２０ＭＨｚをチャネル番号５２のチャネル、Ｓｅｃｏｎｄａｒｙ４０ＭＨｚをチャネル番号６０、６４のチャネルとする。また被測定物１００が、チャネル番号５２、５６、６０、６４の４つのチャネルの使用を要求してきたとする。
【００７３】
図７Ｃは、信号解析部１３が行うＰｒｉｍａｒｙ２０ＭＨｚ解析処理（Ｓ７００Ａ）の処理フローである。パワー検出部３０は、受信部１１から送られてきたＰｒｉｍａｒｙ２０ＭＨｚのチャネルであるチャネル番号５６のチャネルの信号の受信電界強度を算出する。信号検出部４０は、受信部１１から送られてきＰｒｉｍａｒｙ２０ＭＨｚのチャネルの解析を行うために、フィルタ部４１は、バンドパスフィルタをＰｒｉｍａｒｙ２０ＭＨｚのチャネルであるチャネル番号５６のチャネルに設定し（Ｓ７０１）、受信した信号をバンドパスフィルタに通す。
【００７４】
フィルタ部４１は、バンドパスフィルタを通した信号をＰｒｅａｍｂｌｅ検出部４２に送る。Ｐｒｅａｍｂｌｅ検出部４２は、フィルタ部４１から送られてきた信号のＰｒｅａｍｂｌｅの検出を行う（Ｓ７０２）。Ｐｒｅａｍｂｌｅの検出が出来たら（Ｓ７０３  Ｙ）、Ｐｒｅａｍｂｌｅ検出部４２は、パワー検出部３０にＰｒｉｍａｒｙ２０ＭＨｚであるチャネル番号５６のチャネルの信号の受信電界強度を要求する。要求した受信電界強度をパワー検出部３０から取得したＰｒｅａｍｂｌｅ検出部４２は、取得した受信電界強度を確認する（Ｓ７０４）とともにその値をＳｉｇｎａｌ ｔｈｒｅｓｈｏｌｄの値と比較する（Ｓ７０５）。比較した結果、Ｐｒｉｍａｒｙ２０ＭＨｚであるチャネル番号５６のチャネルの信号の受信電界強度がＳｉｇｎａｌ ｔｈｒｅｓｈｏｌｄ以上の場合（Ｓ７０５  Ｙ）、Ｐｒｅａｍｂｌｅ検出部４２は、受信した信号をヘッダ復調部４３に送る。
【００７５】
信号を受信したヘッダ復調部４３は、ヘッダの復調を行う（Ｓ７０６）。ヘッダ復調部４３は、ヘッダの復調が出来たら（Ｓ７０７ Ｙ）、受信した信号を処理部５０に送る。
【００７６】
信号を受信した処理部５０は、被測定物１００が使用を要求してきたＰｒｉｍａｒｙ２０ＭＨｚのチャネルであるチャネル番号５６のチャネル、Ｓｅｃｏｎｄａｒｙ２０ＭＨｚのチャネルであるチャネル番号５２のチャネルおよびＳｅｃｏｎｄａｒｙ４０ＭＨｚのチャネルであるチャネル番号６０、６４のチャネルの使用許可信号である制御パケットＣＴＳを、使用を要求してきたチャネルであるチャネル番号５２、５６、６０および６４を用いて送信するため、処理部５０が管理する許可通知管理テーブル９０１（後述する）のＰｒｉｍａｒｙ２０ＭＨｚのチャネルのＣＴＳ送信ステータス、Ｓｅｃｏｎｄａｒｙ２０ＭＨｚのチャネルのＣＴＳ送信ステータスおよびＳｅｃｏｎｄａｒｙ４０ＭＨｚのチャネルのＣＴＳ送信ステータスにＯＮを設定し（Ｓ７０８）、受信した信号のＰｒｉｍａｒｙ２０ＭＨｚ解析処理を終了する（Ｓ７０９）。
【００７７】
なお処理部５０による許可通知管理テーブル９０１のＣＴＳ送信ステータスの更新は、Ｐｒｉｍａｒｙ２０ＭＨｚ解析処理による更新、Ｓｅｃｏｎｄａｒｙ２０ＭＨｚ解析処理による更新、Ｓｅｃｏｎｄａｒｙ４０ＭＨｚ解析処理による更新の順に行われるように、処理部５０が制御するものとする。
【００７８】
一方、Ｐｒｅａｍｂｌｅ検出部４２は、Ｓ７０３の処理においてＰｒｅａｍｂｌｅを検出できなかった場合（Ｓ７０３  Ｎ）、またＳ７０５の処理において比較した結果、Ｐｒｉｍａｒｙ２０ＭＨｚのチャネルであるチャネル番号５６のチャネルの信号の受信電界強度がＳｉｇｎａｌ ｔｈｒｅｓｈｏｌｄ未満の場合（Ｓ７０５  Ｎ）、その結果を処理部５０に通知し、結果の通知を受けた処理部５０は、許可通知管理テーブル９０１（後述する）のＰｒｉｍａｒｙ２０ＭＨｚのチャネルであるチャネル番号５６のチャネルのＣＴＳ送信ステータスにＯＦＦを設定し（Ｓ７１１）、受信した信号のＰｒｉｍａｒｙ２０ＭＨｚ解析処理を終了する（Ｓ７０９）。
【００７９】
また、ヘッダ復調部４３は、Ｓ７０７の処理においてヘッダ検出が出来なかった場合（Ｓ７０７  Ｎ）、パワー検出部３０に対して、Ｐｒｉｍａｒｙ２０ＭＨｚのチャネルであるチャネル番号５６のチャネルの信号の受信電界強度を要求する。要求した受信電界強度をパワー検出部３０から取得したヘッダ復調部４３は、その値をＥｎｅｒｇｙ ｔｈｒｅｓｈｏｌｄと比較する（Ｓ７１０）。
【００８０】
比較した結果、Ｐｒｉｍａｒｙ２０ＭＨｚであるチャネル番号５６のチャネルの信号の受信電界強度がＥｎｅｒｇｙ ｔｈｒｅｓｈｏｌｄ未満の場合（Ｓ７１０  Ｎ）、処理部５０が管理する許可通知管理テーブル９０１（後述する）のＰｒｉｍａｒｙ２０ＭＨｚチャネルのＣＴＳ送信ステータスにＯＦＦを設定し（Ｓ７１１）、受信した信号のＰｒｉｍａｒｙ２０ＭＨｚ解析処理を終了する（Ｓ７０９）。
【００８１】
図７Ｄは、信号解析部１３が行うＳｅｃｏｎｄａｒｙ２０ＭＨｚ解析処理（Ｓ７００Ｂ）の処理フローである。パワー検出部３０は、受信部１１から送られてきたＳｅｃｏｎｄａｒｙ２０ＭＨｚのチャネルであるチャネル番号５２のチャネルの信号の受信電界強度を算出する。信号検出部４０は、受信部１１から送られてきＳｅｃｏｎｄａｒｙ２０ＭＨｚのチャネルであるチャネル番号５２のチャネルの解析を行う。
【００８２】
信号検出部４０は、受信部１１から送られてきＳｅｃｏｎｄａｒｙ２０ＭＨｚのチャネルの解析を行うために、フィルタ部４１は、バンドパスフィルタをＳｅｃｏｎｄａｒｙ２０ＭＨｚのチャネルであるチャネル番号５２のチャネルに設定し（Ｓ７２１）、受信した信号をバンドパスフィルタに通す。
【００８３】
以降Ｓｅｃｏｎｄａｒｙ２０ＭＨｚ解析処理は、Ｓ７２４、Ｓ７２５、Ｓ７２８、Ｓ７３０、Ｓ７３１およびＳ７３２を除いて、Ｐｒｉｍａｒｙ２０ＭＨｚ解析処理のＳ７０４からＳ７１０の対応する処理と同一である。Ｓ７２４でパワー検出部３０から取得する受信電界強度は、Ｓｅｃｏｎｄａｒｙ２０ＭＨｚのチャネルであるチャネル番号５２のチャネルの受信電界強度である。Ｓ７２５およびＳ７３０の比較処理を行う際のＳｉｇｎａｌ ｔｈｒｅｓｈｏｌｄおよびＥｎｅｒｇｙ ｔｈｒｅｓｈｏｌｄはいずれもＳｅｃｏｎｄａｒｙ２０ＭＨｚ用の値である。Ｓ７２８の処理は、Ｓｅｃｏｎｄａｒｙ２０ＭＨｚのチャネルのＣＴＳ送信ステータスおよびＳｅｃｏｎｄａｒｙ４０ＭＨｚのチャネルのＣＴＳ送信ステータスにＯＮを設定する処理である。Ｓ７３１の処理は、図７ＣのＳ７０８の処理により許可通知管理テーブルの値が更新されたかを確認する処理である。処理部５０は、Ｓ７０８の処理によりＰｒｉｍａｒｙ２０ＭＨｚのチャネルのＣＴＳ送信ステータスにＯＮが設定されていることを確認すると、Ｓ７３２の処理を行わない。Ｓ７３２の処理は、Ｓｅｃｏｎｄａｒｙ２０ＭＨｚチャネルのＣＴＳ送信ステータスにＯＦＦを設定する処理である。
【００８４】
また図７Ｅは、信号解析部１３が行うＳｅｃｏｎｄａｒｙ４０ＭＨｚ解析処理（Ｓ７００Ｃ）の処理フローである。パワー検出部３０は、受信部１１から送られてきたＳｅｃｏｎｄａｒｙ４０ＭＨｚのチャネルであるチャネル番号６０、６４のチャネルの信号の受信電界強度を算出する。信号検出部４０は、受信部１１から送られてきＳｅｃｏｎｄａｒｙ４０ＭＨｚのチャネルであるチャネル番号６０、６４のチャネルの解析を行う。
【００８５】
信号検出部４０は、受信部１１から送られてきＳｅｃｏｎｄａｒｙ４０ＭＨｚのチャネルの解析を行うために、フィルタ部４１は、バンドパスフィルタをＳｅｃｏｎｄａｒｙ４０ＭＨｚのチャネルであるチャネル番号６０、６４のチャネルに設定し（Ｓ７４１）、受信した信号をバンドパスフィルタに通す。
【００８６】
以降Ｓｅｃｏｎｄａｒｙ４０ＭＨｚ解析処理は、Ｓ７４４、Ｓ７４５、Ｓ７４８、Ｓ７５０、Ｓ７５１、７５２を除いて、Ｐｒｉｍａｒｙ２０ＭＨｚ解析処理のＳ７０４からＳ７１０の対応する処理と同一である。Ｓ７４４でパワー検出部３０から取得する受信電界強度は、Ｓｅｃｏｎｄａｒｙ４０ＭＨｚのチャネルであるチャネル番号６０、６４のチャネルの受信電界強度である。Ｓ７４５およびＳ７５０の比較処理を行う際のＳｉｇｎａｌ ｔｈｒｅｓｈｏｌｄおよびＥｎｅｒｇｙ ｔｈｒｅｓｈｏｌｄはいずれもＳｅｃｏｎｄａｒｙ４０ＭＨｚ用の値である。Ｓ７４８の処理は、Ｓｅｃｏｎｄａｒｙ４０ＭＨｚチャネルのＣＴＳ送信ステータスにＯＮを設定する処理である。Ｓ７５１の処理は、図７ＣのＳ７０８あるいはＳ７２８の処理により許可通知管理テーブルの値が更新されたかを確認する処理である。処理部５０は、Ｓ７０８の処理によりＰｒｉｍａｒｙ２０ＭＨｚのチャネルのＣＴＳ送信ステータスにＯＮが設定されていることを確認すると、Ｓ７５２の処理を行わない。Ｓ７５２の処理は、Ｓｅｃｏｎｄａｒｙ４０ＭＨｚチャネルのＣＴＳ送信ステータスにＯＦＦを設定する処理である。
【００８７】
Ｐｒｉｍａｒｙ２０ＭＨｚ解析処理、Ｓｅｃｏｎｄａｒｙ２０ＭＨｚ解析処理およびＳｅｃｏｎｄａｒｙ２０ＭＨｚ解析処理が完了すると、処理部５０は、モード確認処理（Ｓ８００）およびＣＴＳ作成処理（Ｓ１０００）の処理を行う。
【００８８】
図８は、本発明に係る測定装置の一実施形態における、チャネル制御処理のモードを確認するモード確認処理フローである（Ｓ８００）。パワー検出部３０および信号検出部４０が行った信号の解析結果に基づき、許可通知管理テーブル９０１のＣＴＳ送信ステータスの設定が完了すると、処理部５０はモード確認処理を開始する（Ｓ８００）。処理部５０はモードエリア３０１のチャネル制御ビット（ｂ７）を参照することで、現在設定されているチャネル制御処理のモードを確認する(Ｓ８０１)。
【００８９】
チャネル制御ビット（ｂ７）が１（ＯＦＦモード）の場合、処理部５０は、許可通知管理テーブル９０１のＰｒｉｍａｒｙ２０ＭＨｚチャネルのＣＴＳ作成ステータス、Ｓｅｃｏｎｄａｒｙ２０ＭＨｚチャネルのＣＴＳ作成ステータスおよびＳｅｃｏｎｄａｒｙ４０ＭＨｚチャネルのＣＴＳ作成ステータスにＯＮを設定（Ｓ８０３）し、モード確認処理を終了する（Ｓ８０４）。つまり処理部５０は、測定装置１が被測定物１００を測定するために、ＣＴＳ作成ステータスをすべてＯＮに設定する。
【００９０】
チャネル制御ビット（ｂ７）が０（デフォルトモード）の場合、処理部５０は、許可通知管理テーブル９０１のＰｒｉｍａｒｙ２０ＭＨｚチャネルのＣＴＳ作成ステータスにＰｒｉｍａｒｙ２０ＭＨｚチャネルのＣＴＳ送信ステータスの値を設定し、Ｓｅｃｏｎｄａｒｙ２０ＭＨｚチャネルのＣＴＳ作成ステータスにＳｅｃｏｎｄａｒｙ２０ＭＨｚチャネルのＣＴＳ送信ステータスの値を設定し、Ｓｅｃｏｎｄａｒｙ４０ＭＨｚチャネルのＣＴＳ作成ステータスにＳｅｃｏｎｄａｒｙ４０ＭＨｚチャネルのＣＴＳ送信ステータスの値を設定（Ｓ８０５）し、モード確認処理を終了する（Ｓ８０４）。つまり処理部５０は、測定装置１が従前の規格に従った判断を行うために、ＣＴＳ作成ステータスに図７Ｃから図７Ｅに示したチャネル番号５６のチャネルであるＰｒｉｍａｒｙ２０ＭＨｚ、チャネル番号５２のチャネルであるＳｅｃｏｎｄａｒｙ２０ＭＨｚ、チャネル番号６０、６４のチャネルであるＳｅｃｏｎｄａｒｙ４０ＭＨｚの帯域幅ごとのＲＴＳの解析結果である、ＣＴＳ送信ステータスを設定する。
【００９１】
図９は、許可通知管理テーブル９０１およびその設定値の例を示した図である。縦軸がステータスの種類、横軸の帯域幅（Ｐｒｉｍａｒｙ２０ＭＨｚ／Ｓｅｃｏｎｄａｒｙ２０ＭＨｚ／Ｓｅｃｏｎｄａｒｙ４０ＭＨｚ）を表している。テーブルの設定値の初期値はＯＦＦである。許可通知管理テーブル９０１は、処理部５０の中に存在し、処理部５０により管理されている。
【００９２】
ＣＴＳ送信ステータスは、図７の処理フローで説明したようにパワー検出部３０および信号検出部４０によるチャネルの信号品質の確認の結果、使用許可信号である制御パケットＣＴＳを送信することができるできないの状態を示している。ＣＴＳ送信ステータスにＯＮが設定されている場合は、制御パケットＣＴＳが送信できる状態を示しており、ＣＴＳ送信ステータスにＯＦＦが設定されている場合は、制御パケットＣＴＳが送信できない状態を示している。
【００９３】
ＣＴＳ作成ステータスは、パワー検出部３０および信号検出部４０によるチャネルの信号品質の確認の結果によらず、チャネル制御ビット（ｂ７）の値に基づいて、制御パケットＣＴＳを作成する作成しないを示している。ＣＴＳ作成ステータスにＯＮが設定されている場合は、制御パケットＣＴＳを作成することを示しており、ＣＴＳ作成ステータスにＯＦＦが設定されている場合は、制御パケットＣＴＳを作成しないことを示している。
【００９４】
図９（Ａ）は、図７ＣのＳ７１１および図７ＤのＳ７３２においてＣＴＳ送信ステータスが設定ＯＦＦに設定され、図７ＥのＳ７４８においてＣＴＳ送信ステータスがＯＮに設定され、図８のＳ８０５においてＣＴＳ作成ステータスがＣＴＳ送信ステータスの値に設定された許可通知管理テーブル９０１の設定値の例である。
【００９５】
図９（Ｂ）は、同様に図７ＣのＳ７１１および図７ＤのＳ７３２においてＣＴＳステータスがＯＦＦに設定され、図７ＥのＳ７４８においてＣＴＳ送信ステータスがＯＮに設定され、図８のＳ８０３においてＣＴＳ作成ステータスがＯＮに設定された許可通知管理テーブル９０１の設定値の例である。ＣＴＳ作成ステータスは、ＣＴＳ送信ステータスの値にかかわらず全てＯＮである。
【００９６】
図１０は、本発明に係る測定装置の一実施形態における、許可通知管理テーブル９０１のＣＴＳ作成ステータスの値に従って、被測定物１００から送られてきた使用要求信号である制御パケットＲＴＳに対して、使用許可信号である制御パケットＣＴＳを作成する処理フローである（Ｓ１０００）。
【００９７】
処理部５０は、許可通知管理テーブル９０１に保存されているＰｒｉｍａｒｙ２０ＭＨｚチャネルのＣＴＳ作成ステータス、Ｓｅｃｏｎｄａｒｙ２０ＭＨｚチャネルのＣＴＳ作成ステータス、Ｓｅｃｏｎｄａｒｙ４０ＭＨｚチャネルのＣＴＳ作成ステータスを参照し（Ｓ１００１）、ＣＴＳ作成ステータスがＯＮに設定されているチャネルを確認する（Ｓ１００２）。
【００９８】
確認の結果、ＣＴＳ作成ステータスがＯＮに設定されているチャネルに対して、処理部５０は、当該チャネルの使用許可信号である制御パケットＣＴＳの作成を行い（Ｓ１００３）、ＣＴＳ作成処理を終了する（Ｓ１００４）。確認の結果、ＣＴＳ作成ステータスがＯＦＦに設定されているチャネルに対して、処理部５０は、当該チャネルの使用を許可する制御パケットＣＴＳの作成を行わずに（Ｓ１００５）、ＣＴＳ作成処理を終了する（Ｓ１００４）。
【００９９】
処理部５０は、作成した制御パケットＣＴＳを、制御部１４を介して信号生成部１２に送る。信号生成部１２は、制御部１４より送られてきた制御パケットＣＴＳを含む信号を生成し、被測定物１００から使用を要求されたチャネルを用いて、送信部１０より被測定物１００に送出する（Ｓ７２）。
【０１００】
これにより測定装置１は、被測定物１００が使用を要求するチャネルに対して、チャネルの信号品質に関わらず、そのチャネルの使用を許可する機能を有する。
【０１０１】
上記説明では、チャネル制御処理がデフォルトモードとＯＦＦモードの２つのモードを持つ場合を説明したが、チャネル制御処理は３つ以上のモードを持ってもよい。この場合、モードエリア３０１のチャネル制御ビットは、例えば２ビットを割り当ててもよい。
【０１０２】
図１１は、ファンクション保存部６０にあるモードエリア３０１のビットアサインの他の例を示したものである。デフォルトモードに加えてＯＦＦモード１とＯＦＦモード２がある場合のモードエリア３０１のビットアサインの例を示している。ｂ７-ｂ６がチャネル制御処理のモードを示すチャネル制御ビットである。ＯＦＦモード１は、例えば被測定物１００から使用を要求されたチャネル番号５２、５６、６０、６４の８０ＭＨｚの帯域幅に対して、チャネルの信号品質にかかわらずチャネル番号５２、５６、６０、６４の８０ＭＨｚの帯域幅の使用を許可するモードである。ＯＦＦモード２は、例えば被測定物１００から使用を要求されたチャネルに対して、使用を要求されたＰｒｉｍａｒｙ２０ＭＨｚのチャネルであるチャネル番号５６のチャネルだけは信号品質を判定して使用を許可し、Ｓｅｃｏｎｄａｒｙ２０ＭＨｚであるチャネル番号５２のチャネルおよびＳｅｃｏｎｄａｒｙ４０ＭＨｚであるチャネル番号６０、６４のチャネルに対しては、信号品質に関わらず、使用を許可するモードである。
【０１０３】
図１２は、本発明に係る測定装置の一実施形態における、チャネル制御処理のモードを確認するモード確認処理フローの他の例である。チャネル制御処理のモードが図１１に示したデフォルトモード、ＯＦＦモード１およびＯＦＦモード２の３つのモードである場合の、モード確認処理フローの例を示している。
【０１０４】
Ｓ１２０１からＳ１２０５の処理は、図８のＳ８０１からＳ８０５の対応する処理と同一である。図１２の処理は、図８の処理に対してＯＦＦモード２を判定する処理（Ｓ１２０６）と、判定の結果測定装置１に設定されているモードがＯＦＦモード２である場合に許可通知管理テーブル９０１のＣＴＳ作成ステータスへステータスを設定する処理（Ｓ１２０７）が追加したものである。Ｓ１２０７の処理において、Ｐｒｉｍａｒｙ２０ＭＨｚチャネルのＣＴＳ作成ステータスにＰｒｉｍａｒｙ２０ＭＨｚチャネルのＣＴＳ送信ステータスを設定し、Ｓｅｃｏｎｄａｒｙ２０ＭＨｚチャネルのＣＴＳ作成ステータスおよびＳｅｃｏｎｄａｒｙ４０ＭＨｚチャネルのＣＴＳ作成ステータスにＯＮを設定する。これにより測定装置１は、使用を要求されたＰｒｉｍａｒｙチャネルはチャネルの信号品質に応じて使用を許可し、その他のチャネルは使用を要求されたチャネルの信号品質に関わらず、要求されたチャネルの使用を許可することが可能となる。
【０１０５】
また本発明に係る測定装置の一実施形態におけるチャネル制御処理は、使用を要求するチャネルとして１つのチャネルしか要求しない被測定物に対して、チャネルの使用の許可をする場合にも適用可能である。この場合測定装置１は、使用を要求された１つのチャネルに対して、チャネル制御ビットの値に応じて、使用の許可を通知すればよい。
【０１０６】
以上のように、本実施形態における測定装置１は、被測定物１００が使用を要求したチャネルに対して、そのチャネルの信号品質に関わらず使用を許可することができる。これにより測定装置１は、被測定物１００が使用を要求するチャネルにおけるパケットエラー率やスループット測定を可能にすることができる。
【０１０７】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。さらにまた、請求項の各構成要素において、構成要素を分割して表現した場合、或いは複数を合わせて表現した場合、或いはこれらを組み合わせて表現した場合であっても本発明の範疇である。また請求項を制御ロジックとして表現した場合、コンピュータを実行させるインストラクションを含むプログラムとして表現した場合、及び前記インストラクションを記載したコンピュータ読み取り可能な記録媒体として表現した場合でも本発明の装置を適用したものである。また、使用している名称や用語についても限定されるものではなく、他の表現であっても実質的に同一内容、同趣旨であれば、本発明に含まれるものである。
【符号の説明】
【０１０８】
１・・・測定装置、１０・・・送信部、１１・・・受信部、１２・・・信号生成部、１３・・・信号解析部、１４・・・制御部、１５・・・出力部、１６・・・・入力部、３０・・・パワー検出部、４０・・・信号検出部、５０・・・処理部、６０・・・ファンクション保存部、７０・・・復調部、８０・・・測定部、１００・・・被測定物。
【図１】
2018164214.tif 000003
【図２】
2018164214.tif 000004
【図３】
2018164214.tif 000005
【図４】
2018164214.tif 000006
【図５】
2018164214.tif 000007
【図６】
2018164214.tif 000008
【図７Ａ】
2018164214.tif 000009
【図７Ｂ】
2018164214.tif 000010
【図７Ｃ】
2018164214.tif 000011
【図７Ｄ】
2018164214.tif 000012
【図７Ｅ】
2018164214.tif 000013
【図８】
2018164214.tif 000014
【図９】
2018164214.tif 000015
【図１０】
2018164214.tif 000016
【図１１】
2018164214.tif 000017
【図１２】
2018164214.tif 000018